(57)【要約】【課題】  鑑賞植物の栽培容器において、栽培容器の内外に連通する貫通穴を生育段階や使用環境に合わせて自由に開放又は閉鎖できるようにして、良好な苗木の生育と簡便な植え替えとを可能にする。【解決手段】  本考案の鑑賞植物Ｐの栽培容器１は、有底筒状に形成されると共に側面に貫通穴８が形成された容器本体２と、貫通穴８の開口を閉鎖可能に形成されたカバー部材３とを備え、カバー部材３は、貫通穴８の開口を被覆可能な板状に形成されると共に、容器本体２の外周面にスライド自在に取り付けられており、カバー部材３を貫通穴８の開口を被覆する位置から離間方向に向かってスライドさせることで、貫通穴８が閉鎖状態から開放状態に切り替わる構成とされていることを特徴とするものである。【選択図】図１
0003149412.tif 000002
【実用新案登録請求の範囲】
【請求項１】
有底筒状に形成されると共に側面に貫通穴が形成された容器本体と、当該貫通穴の開口を閉鎖可能に形成されたカバー部材とを備え、
前記カバー部材は、前記貫通穴の開口を被覆可能な板状に形成されると共に、前記容器本体の外周面にスライド自在に取り付けられており、
前記カバー部材を前記貫通穴の開口を被覆する位置から離間方向に向かってスライドさせることで、前記貫通穴が閉鎖状態から開放状態に切り替わる構成とされていることを特徴とする鑑賞植物の栽培容器。
【請求項２】
前記容器本体とカバー部材とは、連結帯を介して互いに連結されており、同じ合成樹脂を用いて一体成形されていることを特徴とする請求項１に記載の鑑賞植物の栽培容器。
【請求項３】
前記鑑賞植物は、ポインセチア、シクラメン、またはクリスマスベゴニアのいずれかであることを特徴とする請求項１または２に記載の鑑賞植物の栽培容器。
【考案の詳細な説明】
【技術分野】
【０００１】
本考案は、鑑賞植物の栽培容器に関するものである。
【背景技術】
【０００２】
一般的に、ポインセチア、シクラメン、クリスマスベゴニアなどの赤色やピンク色が鮮やかな鑑賞植物（以降、単に植物という）は、クリスマス前後の冬季に屋内で鑑賞することが多い。これらの植物は、観葉植物の中でも比較的耐寒性に優れるものではあるが、冬季に屋外で生育させることは困難であり、屋内で生育できるように鉢植えで１２月の初旬頃から販売等されている。
ところが、これらの植物の観賞方法は屋内に限られたものではない。例えば、ポインセチアを例に挙げれば、秋季（以下の説明において、夜間の最低温度が１０〜１５℃以上の期間、例えば秋口（９月）〜晩秋（１１月）を示す）であれば、屋外の環境でも十分に生育させることができる。そして、冬季（以下の説明において、夜間の最低温度が１０℃未満の期間、例えば１２月〜２月を示す）になる前に屋外の土壌から屋内用の植木鉢などに植え替えれば、その鮮やかな花弁を長期間に亘って鑑賞することができる。
【０００３】
しかし、一旦屋外の植木鉢や露地に植え付けられた植物を植え替えることは面倒なことであるし、植え替え後に根付きが悪く植物が枯死してしまう虞もある。このような問題を解決するためには、植木鉢や露地に容器ごと植え付けられる栽培容器に植え付けた状態で苗木を販売する方法が考えられる。
例えば、特許文献１には側面に貫通穴が形成された栽培容器が開示されている。特許文献１の栽培容器では、貫通穴を通じて水分や栄養分の流通が可能となっており、貫通穴を介して根を伸ばすことができるので、苗木を屋外の植木鉢や露地に容器ごと植え付けることができる。そして、植え替えの際には容器ごと植物を抜き取り、屋内用の植木鉢にそのまま植え付けできる。このようにすれば、植え替えに手間がかからず、また根付きの問題を起こす虞も少ない。
【先行技術文献】
【特許文献】
【０００４】
【特許文献１】特開昭６３−２８３５２５号公報
【考案の概要】
【考案が解決しようとする課題】
【０００５】
しかしながら、苗木の販売の際には栽培容器は店頭などに陳列され、光が射し込む明るい環境に置かれることが多い。また、播種から育苗までは光を潤沢に与えなければ植物を十分に生育させることは困難であり、当然栽培容器も明るい環境に置かれることになる。
ところが、側面に形成された貫通穴から光が土壌に直接当たると、嫌光性植物では発芽や根の生育が阻害される虞があり、苗木を良好に生育できなくなる可能性が高い。苗木の生育には遮光性の容器を使用し、販売に貫通穴のある栽培容器を用いることもできるが、遮光性の容器から貫通穴のある容器への植え替えに手間がかかり、苗木の販売コストを高くする虞があるので好ましくない。このような点から、特許文献１の栽培容器に植え付けた状態で苗木を販売することは困難であった。
【０００６】
本考案は、上述の問題に鑑みてなされたものであり、生育段階や使用環境に合わせて貫通孔を自由に開放又は閉鎖して、鑑賞植物の良好な苗木の生育と簡便な植え替えとが可能となる鑑賞植物の栽培容器を提供することを目的とする。
【課題を解決するための手段】
【０００７】
前記目的を達成するため、本考案は次の技術的手段を講じている。
即ち、本考案の鑑賞植物の栽培容器は、有底筒状に形成されると共に側面に貫通穴が形成された容器本体と、当該貫通穴の開口を閉鎖可能に形成されたカバー部材とを備え、前記カバー部材は、前記貫通穴の開口を被覆可能な板状に形成されると共に、前記容器本体の外周面にスライド自在に取り付けられており、前記カバー部材を前記貫通穴の開口を被覆する位置から離間方向に向かってスライドさせることで、前記貫通穴が閉鎖状態から開放状態に切り替わる構成とされていることを特徴とするものである。
【０００８】
このようにすれば、カバー部材を容器本体に対してスライドさせるだけで貫通穴を開放又は閉鎖することができ、貫通穴の開口を閉鎖した状態で鑑賞植物を種播から苗木の生育・販売までを行い、その後貫通穴の開口を開放した状態で植え付けや植え替えができる。その結果、生育段階や使用環境に合わせて貫通孔を自由に開放又は閉鎖して、鑑賞植物の良好な生育と簡便な植え替えとが可能となる。また、容器本体における貫通穴がある部分だけを覆えるサイズに形成されていれば良く、容器本体と相似な有底筒状のカバー部材を用いるのに比べてカバー部材に必要な材料コストを低減させることも可能となる。
【０００９】
なお、前記容器本体とカバー部材とは、連結帯を介して互いに連結されており、同じ合成樹脂を用いて一体成形されていても良い。このようにすれば、合成樹脂を用いた一体成形法で容器本体とカバー部材とを一度に成形することができ、安価な製造コストで栽培容器を製造できるからである。
また、前記鑑賞植物は、ポインセチア、シクラメン、またはクリスマスベゴニアのいずれかであるのが好ましい。このようなポインセチア、シクラメン、またはクリスマスベゴニアなどの鑑賞植物は、いずれも秋季には屋外で生育しつつ鑑賞することができ、またクリスマス前後の冬季には屋内で鑑賞することができるため、植え付けや植え替えが簡単な上述の栽培容器を用いるのが特に好ましい。
【考案の効果】
【００１０】
本考案の鑑賞植物の栽培容器によれば、生育段階や使用環境に合わせて貫通孔を自由に開放又は閉鎖して、鑑賞植物の良好な苗木の生育と簡便な植え替えとが可能となる。
【図面の簡単な説明】
【００１１】
【図１】本考案の栽培容器及び苗木の斜視図である。
【図２】本考案の栽培容器におけるカバー部材の開閉を示す説明図である。
【図３】本考案の栽培容器の使用方法を示す説明図である。
【考案を実施するための形態】
【００１２】
以下、本考案に係る鑑賞植物Ｐの栽培容器１及びその苗木Ｓの実施形態を、図面に基づき詳しく説明する。図１に示されるように、鑑賞植物Ｐの苗木Ｓは栽培容器１に収容された土壌Ｍに植えられている。第１実施形態の苗木Ｓは、鑑賞植物Ｐの一例としてポインセチアを植えており、既に種子から生育されて苗木Ｓとなったものである。この苗木Ｓが植えられた栽培容器１は、有底円筒状に形成された容器本体２と、容器本体２の外周面に設けられたカバー部材３とを備えている。
なお、以下の説明において、図１の紙面の上下を栽培容器１を説明する際の上下とする。
【００１３】
鑑賞植物Ｐとしては、植え替えが必要な植物であればどのような植物でも良いが、特に上述したポインセチア、シクラメン、クリスマスベゴニアなどのようにクリスマス前後の寒期に鑑賞に使われる植物、あるいはユッカやオーガスタなどのように耐寒性を備えた観葉植物が挙げられる。
図１に示されるように、容器本体２は、上方に向かって末広がり状な有底の略円筒状に形成されており、内部に土壌Ｍを収容して植物を生育できるようになっている。容器本体２の外周面には、容器本体２を摘んで持ち上げやすいようにつまみ部４が上端側に形成されている。また、容器本体２の底面には、複数（本実施形態では４箇所）の脚部５と水分を抜くための水抜き穴（図示略）とが形成されており、水抜き穴から容器外に流れ出た水を脚部５により形成された容器本体２の底面と床面との間に形成された隙間から簡単に排水できるようになっている。
【００１４】
容器本体２の外周面には、カバー取付面６が形成されている。このカバー取付面６は、周方向の一部の外周壁が他の外周壁より薄肉に形成されたような部分であり、上下方向の中途側から下端にかけて上下方向に沿って形成されている。カバー取付面６は、このカバー取付面６以外の容器本体２の外周面から上側と左右側との段差を介して連続するように形成されている。これらの段差のうち左右側の段差にはカバー部材３を案内する案内溝７が上下方向に亘って形成されており、この案内溝７に沿ってカバー部材３を上下方向にスライドできるようになっている。また、カバー取付面６の上端側には貫通穴８が複数形成されている。
【００１５】
貫通穴８は、カバー取付面６に上下方向に沿って長穴状に形成されており、本実施形態では６箇所設けられている。貫通穴８は、容器本体２の内外を貫通しており、水分、栄養分、光などに加えて根の通過を許容できるようになっている。
カバー部材３は、カバー取付面６に対応した左右方向（周方向）の幅を備えた板部材であり、その両端が左右側の段差に形成された案内溝７に嵌り込んでおり、これらの案内溝７に沿って上下方向にスライド自在となっている。
カバー部材３は、その上下方向の幅はカバー取付面６の半分程度に形成されており、カバー取付面６の上端側に形成された複数の貫通穴８のすべてを覆うことができる面積に形成されている。
【００１６】
それゆえ、図２（ａ）及び図２（ｂ）に示されるように、カバー部材３を案内溝７に沿って上側にスライドさせたときには、カバー取付面６の上側に設けられたすべての貫通穴８がカバー部材３に覆われることになる。そして、複数の貫通穴８がカバー部材３によりすべてが閉鎖状態になり、植物の生育を阻害する光が容器内に射し込まなくなり、冬季鑑賞植物Ｐを種播から苗木Ｓの生育までを行ったり販売の際に店頭に陳列したりしても生育が阻害されることはない。
また、図２（ｃ）及び図２（ｄ）に示されるように、カバー部材３を下側にスライドさせると、貫通穴８が設けられているカバー取付面６の上側からカバー部材３が下側に移動し、カバー部材３により閉鎖されていた複数の貫通穴８のすべてが開放（開口）状態になる。その結果、貫通穴８を通じて栄養分、水分等の流通や通気が可能となり、また鑑賞植物Ｐが貫通穴８から容器外に根を伸ばすことも可能となる。それゆえ、鑑賞植物Ｐを容器本体２に収容したまま屋外の植木鉢や露地に植え付けても、この貫通穴８から栄養分や水分が容器内に供給され、鑑賞植物Ｐを秋季に屋外で良好に生育することができる。そして、冬季になった際には、植え付けられていた屋外の植木鉢や露地から容器本体２ごと鑑賞植物Ｐを抜き取り、屋内用の植木鉢に植え替えれば良く、植え替えに手間がかかることもない。
【００１７】
次に、栽培容器１の使用方法について説明する。
図３（ａ）に示されるように、カバー部材３を上側にスライドさせて貫通穴８が閉鎖状態とされた栽培容器１に土壌Ｍを入れ、この土壌Ｍに鑑賞植物Ｐの種子を蒔き、貫通穴８を閉鎖状態としたまま種播から育苗までを行う。このように貫通穴８を閉鎖状態としておけば、植物の生育を阻害する光が容器内に射し込むことがなくなり、発芽や根の生育が阻害される虞はない。
図３（ｂ）に示されるように、上述のようにして育苗した鑑賞植物Ｐの苗木Ｓは、貫通穴８を閉鎖状態としたまま店頭などで陳列して販売される。このように貫通穴８を閉鎖状態としておけば、苗木Ｓの根に光が当たって苗木Ｓが弱ったり枯死したりすることがない。
【００１８】
図３（ｃ）に示されるように、このようにして生育された苗木Ｓを屋外の植木鉢や露地に植え付ける際には、カバー部材３を下側にスライドさせて貫通穴８の開口を開放状態としたうえで植え付けを行う。このようにすれば、貫通穴８を通じて容器外から栄養分や水分が補給され、また根も伸ばすことができるので、苗木Ｓの良好な生育が可能となり、鑑賞植物Ｐを庭植え状態で秋季に鑑賞することが可能となる。
図３（ｄ）に示されるように、冬季になって植え替えを行う際には、つまみ部４を摘んで容器本体２を持ち上げながら屋外の土壌Ｍから引き抜く。そして、屋内用の植木鉢に容器本体２を植え替えれば、植え替えを手間をかけずに行うことができ、植え替えの際に鑑賞植物Ｐがダメージを負うこともない。また、カバー部材３を上側にスライドさせて貫通穴８を閉鎖すれば、屋内用の植木鉢を新たに用意しなくても屋内で鑑賞植物Ｐを継続して生育でき、鉢植え状態で冬季に鑑賞することが可能となる。
【００１９】
図３（ａ）〜図３（ｂ）のようにして生育された鑑賞植物Ｐの苗木Ｓは、種播から販売までの間に使用されてきた栽培容器１をそのまま用いてこの栽培容器１ごと簡単に植え付けや植え替えができ、秋季からクリスマス前後の冬季までの長期間に亘って屋内外を問わず鑑賞することができる。
また、植え付けや植え替えに便利な穴あき容器を用いると、鑑賞植物Ｐの苗木Ｓ、特に嫌光性の鑑賞植物Ｐの苗木Ｓは穴から容器内に射し込む光のために十分に生育させられないことが多く、少なくとも穴あき容器と穴なし容器との２種類の栽培容器が必要となる。しかし、本考案の栽培容器１を用いて上述のように生育すれば、このような嫌光性の鑑賞植物Ｐの苗木Ｓであっても良好に生育させることができ、栽培容器１を替えることなく植え付けや植え替えも行える。
【００２０】
本考案は上記実施形態に限定されるものではなく、考案の本質を変更しない範囲で各部材の形状、構造、材質、組み合わせなどを適宜変更可能である。
上記実施形態では、カバー部材３が容器本体２に対して上下方向に移動して、貫通穴８が開放状態から閉鎖状態に切り替わる栽培容器１を例示して、本考案の栽培容器１を説明した。しかし、容器本体２に対するカバー部材３の移動方向は上下方向だけに限定されない。例えば、カバー部材３を容器本体２の外周面に沿って周方向にスライドするように構成することもできる。
【００２１】
上記実施形態では、カバー部材３が容器本体２に対して別部材として形成された栽培容器１を例示して、本考案の栽培容器１を説明した。しかし、例えばカバー部材３と容器本体２とを連結帯で連結すると共に同一の合成樹脂で形成すれば、１組の金型を用いるだけでカバー部材３と容器本体２とを一度に射出成形でき、製造の手間やコストを大幅に低減することが可能となるからである。
【符号の説明】
【００２２】
１  栽培容器
２  容器本体
３  カバー部材
４  つまみ部
５  脚部
６  カバー取付面
７  案内溝
８  貫通穴
９  ヒンジ部
Ｍ  土壌
Ｐ  鑑賞植物
Ｓ  苗木
【図１】
0003149412.tif 000003
【図２】
0003149412.tif 000004
【図３】
0003149412.tif 000005